(57)【要約】【課題】  対向部のずり上がりを抑制する喉エプロンを提供する。【解決手段】  喉エプロン１は、気管切開孔を有する患者の首に掛けられる帯部１０と、帯部１０の気管切開孔に近い側に取り付けられて気管切開孔に対向する対向部２０と、対向部２０から離れた位置で帯部１０に連結され、対向部２０を被覆する被覆部３０とを備える。被覆部３０は、患者の腹部に届く腹部端３３を有し、腹部端３３は、腹部の周囲方向ＤＣで互いに逆の位置に配置される第１連結部３５および第２連結部３６を有し、第１連結部３５および第２連結部３６の少なくとも一方は、患者の背中を回って腹部で他方に連結される。【選択図】  図１
0003195098.tif 000002
【実用新案登録請求の範囲】
【請求項１】
気管切開孔を有する患者の首に掛けられる帯部と、前記帯部の前記気管切開孔に近い側に取り付けられて前記気管切開孔に対向する対向部とを備える喉エプロンであって、
前記対向部から離れた位置で前記帯部に連結され、前記対向部を被覆する被覆部を備え、
前記被覆部は、前記患者の腹部に届く腹部端を有し、前記腹部端は、前記腹部の周囲方向で互いに逆の位置に配置される第１連結部および第２連結部を有し、前記第１連結部および前記第２連結部の少なくとも一方は、前記患者の背中を回って前記腹部で他方に連結される
ことを特徴とする喉エプロン。
【請求項２】
請求項１に記載の喉エプロンであって、
前記対向部は、タオル地で形成され、前記被覆部より吸液性が高い
ことを特徴とする。
【請求項３】
請求項１または請求項２に記載の喉エプロンであって、
前記対向部は、矩形状である
ことを特徴とする。
【請求項４】
請求項１から請求項３までのいずれか一つに記載の喉エプロンであって、
前記対向部および前記帯部は、それぞれ、相互に嵌め込まれた取付部材を有する
ことを特徴とする。
【請求項５】
請求項１から請求項４までのいずれか一つに記載の喉エプロンであって、
前記被覆部は、前記対向部より薄い布地で形成されている
ことを特徴とする。
【請求項６】
請求項１から請求項５までのいずれか一つに記載の喉エプロンであって、
前記被覆部は、前記帯部に縫い込まれている
ことを特徴とする。
【請求項７】
請求項１から請求項６までのいずれか一つに記載の喉エプロンであって、
前記被覆部は、ギャザーを施されて前記帯部へ縫い込まれている
ことを特徴とする。
【請求項８】
請求項１から請求項７までのいずれか一つに記載の喉エプロンであって、
前記被覆部は、装飾性を有する
ことを特徴とする。
【請求項９】
請求項１から請求項８までのいずれか一つに記載の喉エプロンであって、
前記腹部端は、ギャザーを施されている
ことを特徴とする。
【請求項１０】
請求項１から請求項９までのいずれか一つに記載の喉エプロンであって、
前記第１連結部および前記第２連結部は、前記腹部端を中央にして相互に対称に形成されている
ことを特徴とする。
【請求項１１】
請求項１から請求項９までのいずれか一つに記載の喉エプロンであって、
前記第１連結部および前記第２連結部は、前記腹部端を中央にして相互に非対称に形成されている
ことを特徴とする。
【請求項１２】
請求項１から請求項１１までのいずれか一つ記載の喉エプロンであって、
前記第１連結部および前記第２連結部は、一体とされている
ことを特徴とする。
【請求項１３】
請求項１から請求項１２までのいずれか一つに記載の喉エプロンであって、
前記第１連結部および前記第２連結部は、前記腹部端の全体に接合されている
ことを特徴とする喉エプロン。
【請求項１４】
請求項１から請求項１３までのいずれか一つに記載の喉エプロンであって、
前記第１連結部は、先端に配置された第１係合部を有し、前記第２連結部は、先端に前記第１係合部に係合する第２係合部を有する
ことを特徴とする。
【考案の詳細な説明】
【技術分野】
【０００１】
本考案は、気管切開による手術で喉に気管切開孔が形成された患者の気管切開孔から漏出する体液を吸収する喉エプロンに関する。
【背景技術】
【０００２】
喉（咽頭、喉頭）に係る病気の場合、患者の治療するために喉頭などを除去することがある。このとき、呼吸のために首の気管側に穴をあけて気管切開孔を形成することがある。気管切開孔は、鼻、あるいは口を介しての呼吸と異なることから、痰が発生しやすく、また、多くの体液を漏出することがある。
特に気管切開孔が永久的に形成された永久気管孔は、痰などの体液が漏出しやすくなる。また、鼻や口で補われていた湿度が不足することから乾燥を防止する必要が生じる。更に、永久気管孔から水、ごみなどが直接肺に入る恐れがある。
したがって、手術直後の直接的な看護が必要な場合は勿論、手術後の安定期（例えば退院後の日常生活）においても多くの症状に対応するため、日常生活での継続的な介護が必要となる。永久気管孔に対する日常の介護用品として、永久気管孔を覆う喉エプロンがある。なお、本出願では、気管切開孔、永久気管孔などをまとめて単に気管切開孔と記載する。
【０００３】
図８は、従来の喉エプロンの使用状態を示す使用状態模式図である。
従来の喉エプロン１０１は、気管切開孔ＴＣを有する患者ＰＴの首ＮＫに掛けられる帯部１１０と、帯部１１０に取り付けられて気管切開孔ＴＣに対向する対向部１２０と、対向部１２０を被覆する被覆部１３０とを備える。このような喉エプロン１０１は、特許文献１に開示されている。
対向部１２０および被覆部１３０は、布で形成されている。被覆部１３０は、首ＮＫから胸元ＢＳにかけて着衣ＷＲに沿う自然な状態で着衣ＷＲを覆う。また、被覆部１３０は、着衣ＷＲの内側へ移動して対向部１２０を気管切開孔ＴＣの側へ寄せることができる。
喉エプロン１０１は、対向部１２０を被覆部１３０によって隠す。したがって、患者ＰＴは、対向部１２０の着用を他者の視線から回避できるので、他者の対向部１２０に対する視線から受ける精神的なストレスを抑制できる。
また、被覆部１３０は、装飾性を有するので、ファッション性を発揮して患者ＰＴのおしゃれ心を満たす。
【先行技術文献】
【特許文献】
【０００４】
【特許文献１】実用新案登録第３１９２２７４号公報
【考案の概要】
【考案が解決しようとする課題】
【０００５】
しかしながら、対向部１２０および被覆部１３０は、布で形成されているので、変形することがある。例えば対向部１２０および被覆部１３０が患者ＰＴの胸元ＢＳから首ＮＫの方へ移動することがある。対向部１２０および被覆部１３０のずり上がりは、気管切開孔ＴＣからの体液の吸収効果を低下させることがある。
被覆部１３０のずり上がりは、装飾性を低下させやすくなる。また、被覆部１３０のずり上がりは、対向部１２０のずり上がりを誘発することがある。
【０００６】
本考案は、従来の喉エプロンの課題を解決することを目的とする。つまり、本考案は、対向部のずり上がりを抑制する喉エプロンを提供することを目的とする。
【課題を解決するための手段】
【０００７】
本考案は、気管切開孔を有する患者の首に掛けられる帯部と、前記帯部の前記気管切開孔に近い側に取り付けられて前記気管切開孔に対向する対向部とを備える喉エプロンであって、前記対向部から離れた位置で前記帯部に連結され、前記対向部を被覆する被覆部を備え、前記被覆部は、前記患者の腹部に届く腹部端を有し、前記腹部端は、前記腹部の周囲方向で互いに逆の位置に配置される第１連結部および第２連結部を有し、前記第１連結部および前記第２連結部の少なくとも一方は、前記患者の背中を回って前記腹部で他方に連結されることを特徴とする。
【０００８】
本考案の一実施の形態は、前記喉エプロンであって、前記対向部は、タオル地で形成され、前記被覆部より吸液性が高いことを特徴とする。
本考案の一実施の形態は、前記喉エプロンであって、前記対向部は、矩形状であることを特徴とする。
本考案の一実施の形態は、前記喉エプロンであって、前記対向部および前記帯部は、それぞれ、相互に嵌め込まれた取付部材を有することを特徴とする。
【０００９】
本考案の一実施の形態は、前記喉エプロンであって、前記被覆部は、前記対向部より薄い布地で形成されていることを特徴とする。
本考案の一実施の形態は、前記喉エプロンであって、前記被覆部は、前記帯部に縫い込まれていることを特徴とする。
本考案の一実施の形態は、前記喉エプロンであって、前記被覆部は、ギャザーを施されて前記帯部へ縫い込まれていることを特徴とする。
本考案の一実施の形態は、前記喉エプロンであって、前記被覆部は、装飾性を有することを特徴とする。
本考案の一実施の形態は、前記喉エプロンであって、前記腹部端は、ギャザーを施されていることを特徴とする。
【００１０】
本考案の一実施の形態は、前記喉エプロンであって、前記第１連結部および前記第２連結部は、前記腹部端を中央にして相互に対称に形成されていることを特徴とする。
本考案の一実施の形態は、前記喉エプロンであって、前記第１連結部および前記第２連結部は、前記腹部端を中央にして相互に非対称に形成されていることを特徴とする。
本考案の一実施の形態は、前記喉エプロンであって、前記第１連結部および前記第２連結部は、一体とされていることを特徴とする。
本考案の一実施の形態は、前記喉エプロンであって、前記第１連結部および前記第２連結部は、前記腹部端の全体に接合されていることを特徴とする喉エプロン。
本考案の一実施の形態は、前記喉エプロンであって、前記第１連結部は、先端に配置された第１係合部を有し、前記第２連結部は、先端に前記第１係合部に係合する第２係合部を有することを特徴とする。
【考案の効果】
【００１１】
本考案に係る喉エプロンは、胸元から首の方への対向部の移動（ずり上がり）が抑制されるので、気管切開孔に対向して気管切開孔から漏出する体液を効果的に吸収しやすくなる。
【図面の簡単な説明】
【００１２】
【図１】本考案の実施の形態１に係る喉エプロンの正面図である。
【図２】図１に示した喉エプロンの背面図である。
【図３】図１および図２に示した喉エプロンを患者の首に着用した使用状態を示す使用状態模式図である。
【図４】図１の矢印線Ａ−Ａにおける帯部と被覆部との関係を切断して示す端面図である。
【図５】図１の矢印線Ａ−Ａにおける被覆部と第２連結部との関係を切断して示す端面図である。
【図６】図２に示した喉エプロンから対向部を取り外した状態を示す背面図である。
【図７】図６に示した喉エプロンから取り外された対向部を示す正面図である。
【図８】従来の喉エプロンの使用状態を示す使用状態模式図である。
【考案を実施するための形態】
【００１３】
以下、本考案に係る喉エプロンについて、図面を参照して説明する。
[実施の形態１]
図１から図７までを参照して、本考案の実施の形態１に係る喉エプロン１について説明する。
図１は、本考案の実施の形態１に係る喉エプロン１の正面図である。
図２は、図１に示した喉エプロン１の背面図である。
図３は、図１および図２に示した喉エプロン１を患者ＰＴの首ＮＫに着用した使用状態を示す使用状態模式図である。
図１から図３までに示すとおり、喉エプロン１は、気管切開孔ＴＣを有する患者ＰＴの首ＮＫに掛けられる帯部１０と、帯部１０の気管切開孔ＴＣに近い側に取り付けられて気管切開孔ＴＣに対向する対向部２０とを備える。喉エプロン１は、更に、対向部２０から離れた位置で帯部１０に連結され、対向部２０を被覆する被覆部３０を備える。
【００１４】
帯部１０は、両端に装着部材１５および装着部材１６を有する。装着部材１５および装着部材１６は、互いに異なる面に配置され、相互に圧着される。装着部材１５、装着部材１６は、例えば面ファスナーである。装着部材１５および装着部材１６は、首ＮＫの後ろ側で結合され、帯部１０を首ＮＫに装着する。
帯部１０の表面は、首ＮＫへ接触することから、皮膚への刺激を抑制するため柔らかい布で形成される。帯部１０は、長さが例えば４０ｃｍないし５０ｃｍ、幅が例えば２．５ｃｍ、厚さが例えば２ｍｍ程度である。帯部１０の寸法は、患者ＰＴの首ＮＫの大きさに応じて設定される。
【００１５】
対向部２０は、タオル地で形成され、被覆部３０より吸液性が高い。対向部２０は、被覆部３０より吸液性が高いタオル地であるので、気管切開孔ＴＣから漏出する体液を効果的に吸収できる。
対向部２０は、矩形状である。帯部１０に対する正確な位置合わせが容易になり、気管切開孔ＴＣへの正確な位置合わせが容易となりやすい。
対向部２０は、完全な四辺形ではなく、例えばコーナー部に丸みが形成されていることが好ましい。対向部２０は、丸みを持つことにより、皮膚への接触の際の刺激を抑制しやすくなる。
対向部２０および帯部１０は、それぞれ、相互に嵌め込まれた取付部材４０を有する。対向部２０は、取付部材４０を介して帯部１０に取り付けられるので、帯部１０に対する連結および分離が容易になりやすい。
【００１６】
対向部２０の大きさは、乳幼児用のハンドタオル（小さいハンカチの大きさを有するタオル）程度が好ましい。具体的な寸法は、例えば１５ｃｍ角程度が好ましい。この程度の大きさは、患者ＰＴにとって気管切開孔ＴＣを確実に覆い、また、必要以上に大きすぎないので装着時の違和感を抑制しやすい。
タオル地は、肌触りあるいは吸液性などの観点から、シャーリング地（ベロア調）などが好ましい。具体的には、シャーリング地で形成された乳幼児用のミニハンカチなどが好ましい。乳幼児用のハンドタオルは、感触が柔らかく、皮膚に対する刺激が少ないので気管切開孔ＴＣへの適用性が高い。
【００１７】
被覆部３０は、患者ＰＴの腹部ＢＡに届く腹部端３３を有し、腹部端３３は、腹部ＢＡの周囲方向ＤＣで互いに逆の位置に配置される第１連結部３５および第２連結部３６を有し、第１連結部３５および第２連結部３６の少なくとも一方は、患者ＰＴの背中ＢＣを回って腹部ＢＡで他方に連結される。
被覆部３０が有する腹部端３３は、患者ＰＴの腹部ＢＡに対向して配置される。腹部端３３が有する第１連結部３５および第２連結部３６の少なくとも一方は、患者ＰＴの背中ＢＣ（不図示）を回った後の腹部ＢＡで他方に連結される。
患者ＰＴに着用された被覆部３０は、対向部２０を外側から患者ＰＴの側に押し付ける状態に維持される。このため、対向部２０は、胸元ＢＳから首ＮＫの方への移動（ずり上がり）が抑制されるので、気管切開孔ＴＣに対向して気管切開孔ＴＣから漏出する体液を効果的に吸収しやすくなる。また、被覆部３０は、対向部２０を隠すので対向部２０に対する他者の視線を避けやすくなる。
【００１８】
喉エプロン１は、例えば着衣ＷＵの上に装着される。着衣ＷＵは、例えば下着である。つまり、喉エプロン１（被覆部３０）は、首ＮＫから胸元ＢＳ、さらには腹部ＢＡにわたって装着される。したがって、この上に上着を着用した場合、首元に被覆部３０が覗くことでファッション性を持たせることができる。
なお、第１連結部３５および第２連結部３６の少なくとも一方が背中ＢＣを回るときの形態は、第１連結部３５および第２連結部３６が対称である場合と、非対称である場合とを含む。本実施の形態では、第１連結部３５および第２連結部３６が、対称に延長する場合が示される。第１連結部３５および第２連結部３６が非対称である場合については実施の形態２で示される。
【００１９】
被覆部３０は、対向部２０より薄い布地で形成されている。被覆部３０は、対向部２０に比べて薄くなるので着用したときの違和感を抑制しやすい。
例えば一般的な薄いハンカチーフ、スカーフなどに適用される薄い布地品が適用しやすい。正方形のハンカチーフ、スカーフなどの場合は、半分の長方形に切断して適用しても良い。正方形のハンカチーフ、スカーフを半分にして長方形として適用する場合は、折り返した半分を他方に重ねても良い。
被覆部３０の大きさは、ギャザー３１を施した後の横幅が例えば２０ｃｍないし２５ｃｍ、縦の長さ（帯部１０から腹部端３３までの長さ）が例えば３０ｃｍないし４０ｃｍである。被覆部３０の大きさは、患者ＰＴの胴体の大きさに応じて適宜設定される。
被覆部３０は、帯部１０に縫い込まれている。これにより、被覆部３０は、帯部１０に対する連結強度が向上しやすくなる。
【００２０】
被覆部３０は、ギャザー３１を施されて帯部１０へ縫い込まれている。被覆部３０は、帯部１０から延びるギャザー３１が形成されるので、ファッション性を向上しやすくなる。つまり、被覆部３０は、首ＮＫの前面にボリュウーム感を生じさせるので、首元の美観を向上させやすい。
被覆部３０は、装飾性を有する。被覆部３０の装飾性は、患者ＰＴのおしゃれ心を満たしやすい。対向部２０に対する他者の視線を避けやすくなる。被覆部３０の装飾性は、例えば柄付のハンカチーフ、ブランドハンカチーフなどで施される。柄（模様、色彩）は、患者ＰＴの好みに応じて選定される。
【００２１】
腹部端３３は、ギャザー３４を施されている。ギャザー３４は、腹部端３３の側においても帯部１０の側のギャザー３１と同様に、ボリューム感を生じやすい。被覆部３０は、帯部１０の側にギャザー３１を有し、腹部端３３の側にギャザー３４を有する。したがって、被覆部３０の中央領域は、複数の襞を生じるので、胸元ＢＳおよび腹部ＢＡに対して余裕が生じる。このため、患者ＰＴは、着用による違和感を抑制しやすい。また、ボリュウーム感を生じるので、ファッション性を向上させる。
腹部端３３のギャザー３４を施した後の横幅（周囲方向ＤＣ）の寸法は、ギャザー３１の領域と同程度とすることが好ましい。しかし、ギャザー３１が施された横幅とギャザー３４が施された横幅とは一致しなくても良い。
【００２２】
第１連結部３５および第２連結部３６は、腹部端３３を中央にして相互に対称に形成されている。これにより、第１連結部３５および第２連結部３６は、生産性、および相互の連結性が向上しやすくなる。第１連結部３５および第２連結部３６は、腹部ＢＡの正面で相互に連結されやすい。
第１連結部３５および第２連結部３６は、互いに背中ＢＣを回って腹部ＢＡで相互に連結される。連結方法としては、例えば蝶結びなどが施される。
第１連結部３５および第２連結部３６は、帯部１０と同様に布で形成されることが好ましい。第１連結部３５および第２連結部３６は、幅が例えば２ｃｍ、厚さが例えば０．５ｍｍ程度である。帯部１０よりやや小さい形状とされる。
第１連結部３５および第２連結部３６は、個別に被覆部３０に接続されても良い。この場合は、周囲方向ＤＣにおける腹部端３３の両端に第１連結部３５、第２連結部３６がそれぞれ接続される。
【００２３】
第１連結部３５および第２連結部３６は、一体とされていることが好ましい。第１連結部３５および第２連結部３６の全体にわたる強度を向上させやすい。布で形成された第１連結部３５および第２連結部３６は、例えば縫い合わせなどによって容易に一体化される。
一体とされた第１連結部３５および第２連結部３６は、図１に示されるとおり、一本の帯状となる。一体化された第１連結部３５および第２連結部３６は、両端間の長さが例えば蝶結びされるときは、１５０ｃｍないし２００ｃｍ程度である。面ファスナーなどが適用された場合、一体化された第１連結部３５および第２連結部３６は、蝶結びの結び代の長さだけやや短くて良い。
第１連結部３５および第２連結部３６が一体とされている場合、第１連結部３５および第２連結部３６は、腹部端３３の全体に接合されていることが好ましい。これにより、腹部端３３に対する第１連結部３５および第２連結部３６の結合強度が向上しやすくなる。腹部端３３に対する接合は、第１連結部３５および第２連結部３６を腹部端３３に縫い付けて施される。
【００２４】
図３では、第１連結部３５および第２連結部３６が腹部ＢＡで蝶結びされた場合が記載されている。第１連結部３５および第２連結部３６の連結は、蝶結びに限らない。
つまり、第１連結部３５および第２連結部３６は、一体化された両端に面ファスナーなどを配置して圧接による連結としても良い。すなわち、第１連結部３５は、先端に配置された第１係合部３７ａ（不図示）を有し、第２連結部３６は、先端に第１係合部３７ａに係合する第２係合部３８ａ（不図示）を有する。第１係合部３７ａおよび第２係合部３８ａは、相互に係合する。したがって、腹部端３３の位置を容易に位置決めでき、腹部端３３の位置を安定して維持できる。
第１係合部３７ａと第２係合部３８ａは、それぞれ、例えば雌雄の組み合わせとなるスナップボタンである。第１係合部３７、第２係合部３８は、面ファスナー、ボタン留めなどでも良い。
【００２５】
図４は、図１の矢印線Ａ−Ａにおける帯部と被覆部との関係を切断して示す端面図である。なお、腹部端３３の側は省略される。
図４に示すとおり、被覆部３０は、帯部１０に縫い込まれている。帯部１０は、前側部１１（外側）および後側部１２（患者ＰＴ側）を有し、前側部１１および後側部１２の間に被覆部３０を挟み込んでいる。つまり、帯部１０は、前側部１１と後側部１２とを重ねた形態とされ、強度および美感を確保する。
被覆部３０は、前側部１１と後側部１２との間に挟まれた状態で縫い込まれている。前側部１１および後側部１２の両方は、それぞれ芯地を含んでも良く、あるいは一方のみが芯地であっても良い。被覆部３０は、一方の芯地にギャザー３１を形成した状態で縫い付けられる。前側部１１および後側部１２は、それぞれ表面布を有する。帯部１０は、芯地の表面を表面布で被覆されるので、首ＮＫへの刺激を抑制できる。
【００２６】
図５は、図１の矢印線Ａ−Ａにおける被覆部と第２連結部との関係を切断して示す端面図である。なお、帯部１０の側は省略される。
図５に示すとおり、第２連結部３６は、腹部端３３の外側面に縫い付けられている。第１連結部３５も第２連結部３６と同様に腹部端３３の外側面に縫い付けられている。
第１連結部３５および第２連結部３６は、腹部端３３に縫い付けられることから、第１連結部３５、第２連結部３６、および腹部端３３の重なりによって強度が強くなり、使用性の高い喉エプロン１が得られる。
なお、第１連結部３５および第２連結部３６は、腹部端３３の内側（患者ＰＴ側）に縫い付けられても良い。
【００２７】
図６および図７を参照して取付部材４０について説明する。
図６は、図２に示した喉エプロンから対向部を取り外した状態を示す背面図である。
図７は、図６に示した喉エプロンから取り外された対向部を示す正面図である。
【００２８】
図６に示すとおり、帯部１０は、取付部材４０として凹型取付部４１を有する。図７に示すとおり、対向部２０は、取付部材４０として凸型取付部４２を有する。凹型取付部４１および凸型取付部４２は、相互の連結および取り外しが容易である。したがって、対向部２０は、帯部１０に対する連結および取り外しが容易になりやすい。
凸型取付部４２は、対向部２０の一辺の両端近くに対応させて２か所配置されている。凹型取付部４１は、凸型取付部４２に向き合う位置に配置されている。したがって、対向部２０は、安定的に帯部１０に取り付けられる。
【００２９】
対向部２０は、例えば乳幼児用のミニタオルであるので、多数回の洗浄に耐える。凹型取付部４１および凸型取付部４２は、例えばスナップボタンであり、指先の力で結合、分離が容易にできる。スナップボタンは、耐洗浄性を有するので対向部２０の洗浄性を向上させる。
つまり、対向部２０は、複数枚まとめて漂白剤に漬けられ、漂白された後、通常の洗濯が施される。対向部２０は、繰り返しての使用が可能であるので喉エプロン１の利便性が向上する。
【００３０】
[実施の形態２]
実施の形態１に係る考案の別例を実施の形態２として説明する。基本的な構造は同様であるので主に異なる事項について説明し、重複する記載は省略する。
第１連結部３５および第２連結部３６が対称性を有する場合は、実施の形態１に記載された。本実施の形態では、第１連結部３５および第２連結部３６が非対称に配置された場合について説明する。
非対称の場合、第１連結部３５および第２連結部３６の両方が延長して配置される場合と、一方が腹部端３３の外側へ延長せず、腹部端３３の領域に直接配置される場合とがある。
【００３１】
本実施の形態では、第１連結部３５および第２連結部３６は、腹部端３３を中央にして相互に非対称に形成されている。第１連結部３５および第２連結部３６は、一方が長く、他方が短い。
第１連結部３５および第２連結部３６の内、長い方は背中ＢＣを回って腹部ＢＣに戻り、短い方と連結される。つまり、第１連結部３５および第２連結部３６のいずれか短い側で他方と連結されるので、患者ＰＴの好みに応じた側（例えば右の脇腹）で連結されるので、対称の場合と異なる連結部位を設定しやすい。
短い方（例えば第１連結部３５）は、例えば結び代の長さだけとし、長い方（例えば第２連結部３６）は、背中ＢＣを回って短い方にまで延長する長さとした場合、短い方の位置で相互の連結が施される。
なお、第１連結部３５および第２連結部３６の先端は、蝶結び、あるいは結合部材の適用などいずれであっても実施の形態１と同様とされる。
【００３２】
短い方が腹部端３３の外側へ延長されずに腹部端３３の範囲にとどまる場合がある。つまり、第１連結部３５は、腹部端３３の周囲方向ＤＣの一端に配置された第１係合部３７ｂ（不図示）であり、第２連結部３６は、背中ＢＣを回った後、第１係合部３７ｂに係合する第２係合部３８ｂ（不図示）を有する。
これにより、周囲方向ＤＣにおいて、腹部端３３の一端に配置された第１係合部３７ｂと第２連結部３６が有する第２係合部３８ｂとが係合されるので、第１連結部３５および第２連結部３６は、係合を施すことによって容易に連結される。なお、第１係合部３７ｂと第２係合部３８ｂは、それぞれ、例えば雌雄のスナップボタン、面ファスナー、ボタン留めなどである。
【産業上の利用可能性】
【００３３】
喉エプロン１は、気管切開孔ＴＣを有する患者ＰＴのために供給され、看護医療に利用される。
【符号の説明】
【００３４】
１  喉エプロン
１０  帯部
１１  前側部
１２  後側部
１５、１６  装着部材
２０  対向部
３０  被覆部
３１、３４  ギャザー
３３  腹部端
３５  第１連結部
３６  第２連結部
３７ａ、３７ｂ  第１係合部（不図示）
３８ａ、３８ｂ  第２係合部（不図示）
４０  取付部材
４１  凹型取付部
４２  凸型取付部
ＢＡ  腹部
ＢＣ  背中（不図示）
ＢＳ  胸元
ＤＣ  周囲方向
ＮＫ  首
ＰＴ  患者
ＴＣ  気管切開孔
ＷＲ、ＷＵ  着衣
【図１】
0003195098.tif 000003
【図２】
0003195098.tif 000004
【図３】
0003195098.tif 000005
【図４】
0003195098.tif 000006
【図５】
0003195098.tif 000007
【図６】
0003195098.tif 000008
【図７】
0003195098.tif 000009
【図８】
0003195098.tif 000010